(57)【要約】【課題】平坦な取付面はもちろん、突出した角部や窪んだ角部にも取り付けることを可能とする。【解決手段】１８０度を超える広角範囲において侵入物を検知する広角検知センサを有するセンサライト部２は、取付具３を設けるための取付フランジ部１５〜１７を備える。中間取付フランジ部１７は、先端部分の上下面に互いに反対方向（上下方向）に延びる上下方向に延びる支柱部２１，２２を有する。取付具３は、支柱部２１，２２に一端部が回転可能に結合される２つの取付板部材３１，３１を備える。２つの取付板部材３１，３１のなす角度が、被取付部Ｗの形状に応じて変更可能である。各取付板部材３１，３１は、被取付部Ｗにねじ止めされる。取付板部材３１に上下取付フランジ部１５，１６を雄ねじ４１にてねじ止めすることで、センサライト部２と取付具３との相対位置を固定する。【選択図】  図１
2010262859.tif 000002
【特許請求の範囲】
【請求項１】
１８０度を超える広角範囲において侵入物を検知する広角検知センサを有する機器部と、この機器部を被取付部に取り付ける取付具とを備え、前記広角検知センサによって侵入物の移動を検知し、所定の動作を行う電子機器において、
前記機器部は、上下方向に延びる支柱部を有する一方、
前記取付具は、前記支柱部に一端部が回転可能に結合される２つの取付板部材を備え、
前記２つの取付板部材のなす角度が、前記被取付部の形状に応じて変更可能であることを特徴とする、広角検知センサを備える電子機器。
【請求項２】
前記支柱部は、先端面に雌ねじ穴が形成されており、
前記機器部は、前記支柱部を支持する支柱支持部と、前記支柱部の先端面との間に隙間を存在させて配置され取付穴を有する取付フランジ部とを備え、
前記被取付部への取付状態において、前記取付板部材の係合部が前記支柱部に回転可能に係合された状態で、前記取付フランジ部の取付穴を通じて雄ねじを前記雌ねじ穴に適用して、前記隙間がなくなるように締め付けられていることを特徴とする請求項１記載の、広角検知センサを備える電子機器。
【請求項３】
前記取付具の、２つの取付板部材は、同一形状で、一方が他方に対し反転した状態で前記支柱部に取り付けられていることを特徴とする請求項１または２記載の、広角検知センサを備える電子機器。
【請求項４】
前記取付板部材は、板状の取付板部と、この取付板部の一側縁部の上側部位または下側部位と中間部位とに側方に突出して設けられた第１および第２の腕部とを有し、
前記第１および第２の腕部の先端部分に前記係合部が形成され、
前記第１および第２の腕部の先端部分、並びに前記取付板部の前記一側縁部であって前記第１および第２の腕部を設けた部分を除く部分が湾曲面となっていることを特徴とする請求項２または３記載の、広角検知センサを備える電子機器。
【請求項５】
前記第１の腕部の先端部分であって、前記第２の腕部と対向している側の面と反対側の面に、半径方向に規則的に延びる凹凸部が形成されている一方、
前記取付フランジ部の先端部分に、前記凹凸部に対応する凹凸部が形成されていることを特徴とする請求項４記載の、広角検知センサを備える電子機器。
【請求項６】
前記第１の腕部の先端部分であって、前記第２の腕部と対向している側の面に断面円形状の係合凸部が形成されている一方、
前記第２の腕部の先端部分であって、前記第１の腕部と対向している側と反対側の面に、前記係合凸部が回転可能に係合する係合凹部が形成されていることを特徴とする請求項４または５記載の、広角検知センサを備える電子機器。
【請求項７】
前記支柱支持部は、前記支柱の軸線方向から見て、両側面が内方に窪む湾曲形状をし、前記機器部の背面からの突出量が、前記取付板部材の長さよりも長いことを特徴とする請求項２〜７のいずれかに記載の、広角検知センサを備える電子機器。
【発明の詳細な説明】
【技術分野】
【０００１】
本発明は、平坦な壁面だけでなく、壁面の角部にも取付可能である広角検知センサを備える電子機器（例えば、センサライト）、特にそれの取付構造に関するものである。
【背景技術】
【０００２】
従来、例えばセンサのように人の移動を検知し、所定の動作を行う電子機器において、所定の１８０°を超える広角範囲において人体を検知する人体検知センサを用いた機器が知られている。
【０００３】
そのようなセンサライトが、例えば、検知エリアとして、１８０°を超える広角範囲を有するので、図１２（ａ）に示すように、平らな取付壁面１０１にセンサライト１０２を取り付ける場合には、壁面前方の全ての方向が検知エリアＬ１となるが、図１２（ｂ）に示すように、角部１０１Ａに取り付ける場合には角部１０１Ａ付近の壁面にしか取り付けることができないので、検知可能エリアＬ１１のほかに、検知することができない死角エリアＬ１２が生じてしまう。このような角部そのものにセンサライトを取り付けることができれば、図１２（ｃ）に示すように死角がなくなるので、壁面を含む建物等以外のエリアにおけるすべてが検知エリアＬ２１となるので、角部そのものに取り付けたいという要求がある。
【０００４】
ところで、センサライトを取り付ける場合に、取付場所に応じて取付部分の構造を変更する必要があるので、どのような取付場所にも幅広く対応することができるセンサライトの取付構造が提案されている（例えば、特許文献１参照）。
【先行技術文献】
【特許文献】
【０００５】
【特許文献１】実用新案登録第３０３５２９５号
【発明の概要】
【発明が解決しようとする課題】
【０００６】
前述した特許文献１に記載の技術では、プレート式あるいはクランプ式のいずれの取付構造にも対応できるものの、センサライトが、取付部となるプレートに取り付けられている構造であるため、前述したような角部には取り付けることができない。
【０００７】
この発明は、平坦な取付面はもちろん、突出した角部や窪んだ角部にも取り付けることができる広角検知センサを備える電子機器を提供することを目的とする。
【課題を解決するための手段】
【０００８】
請求項１の発明は、１８０度を超える広角範囲において侵入物を検知する広角検知センサを有する機器部と、この機器部を被取付部に取り付ける取付具とを備え、前記広角検知センサによって侵入物の移動を検知し、所定の動作を行う電子機器において、前記機器部は、上下方向に延びる支柱部を有する一方、前記取付具は、前記支柱部に一端部が回転可能に結合される２つの取付板部材を備え、前記２つの取付板部材のなす角度が、前記被取付部の形状に応じて変更可能であることを特徴とする。
【０００９】
このようにすれば、２つの取付板部材のなす角度が、前記被取付部の形状に応じて変更可能であるので、２つの取付板部材のなす角度を調整することで、平坦な取付面はもちろん、突出した角部や窪んだ角部にも取り付けることができる。よって、広角検知センサが、図１２（ｂ）に示すように死角を生ずることなく、図１２（ｃ）に示すように有効に機能を発揮させることが可能となる。
【００１０】
請求項２に記載のように、前記支柱部は、先端面に雌ねじ穴が形成されており、前記機器部は、前記支柱部を支持する支柱支持部と、前記支柱部の先端面との間に隙間を存在させて配置され取付穴を有する取付フランジ部とを備え、前記被取付部への取付状態において、前記取付板部材の係合部が前記支柱部に回転可能に係合された状態で、前記取付フランジ部の取付穴を通じて雄ねじを前記雌ねじ穴に適用して、前記隙間がなくなるように締め付けられていることが望ましい。
【００１１】
このようにすれば、被取付部への取付状態において、前記取付板部材の係合部が前記支柱部に回転可能に係合された状態で、前記取付フランジ部の取付穴を通じて雄ねじを前記雌ねじ穴に適用して、前記隙間がなくなるように締め付けることで、支柱部に対し取付板部材が相対回転しないように固定される。
【００１２】
請求項３に記載のように、前記取付具の、２つの取付板部材は、同一形状で、一方が他方に対し反転した状態で前記支柱部に取り付けられている構成とすることができる。
【００１３】
このようにすれば、部品の共通化が図れ、コストダウンを図る上で有利となる。
【００１４】
請求項４に記載のように、前記取付板部材は、板状の取付板部と、この取付板部の一側縁部の上側部位または下側部位と中間部位とに側方に突出して設けられた第１および第２の腕部とを有し、前記第１および第２の腕部の先端部分に前記係合部が形成され、前記第１および第２の腕部の先端部分、並びに前記取付板部の前記一側縁部であって前記第１および第２の腕部を設けた部分を除く部分が湾曲面となっていることが望ましい。
【００１５】
このようにすれば、取付板部材同士が干渉することなく、２つの取付板部材のなす角度を調整することができる範囲を広くする上で有利となる。
【００１６】
請求項５に記載のように、前記第１の腕部の先端部分であって、前記第２の腕部と対向している側の面と反対側の面に、半径方向に規則的に延びる凹凸部が形成されている一方、前記取付フランジ部の先端部分に、前記凹凸部に対応する凹凸部が形成されていることが望ましい。
【００１７】
このようにすれば、前記隙間がなくなるように締め付けることで、凹凸部が噛み合い、支柱部に対し取付板部材が相対回転しないように確実に固定される。
【００１８】
請求項６に記載のように、前記第１の腕部の先端部分であって、前記第２の腕部と対向している側の面に断面円形状の係合凸部が形成されている一方、前記第２の腕部の先端部分であって、前記第１の腕部と対向している側と反対側の面に、前記係合凸部が回転可能に係合する係合凹部が形成されていることが望ましい。
【００１９】
このようにすれば、係合突部と係合凹部との係合により、２つの取付板部材の位置決めが簡単になされる。
【００２０】
請求項７に記載のように、前記支柱支持部は、前記支柱の軸線方向から見て、両側面が内方に窪む湾曲形状をし、前記機器部の背面からの突出量が、前記取付板部材の長さよりも長いことが望ましい。
【００２１】
このようにすれば、２つの取付板部材のなす角度を調整することができる範囲が広くなるので、突出した角部や窪んだ角部にも無理なく取り付けることができる。
【発明の効果】
【００２２】
本発明は、上記のように、２つの取付板部材のなす角度が、前記被取付部の形状に応じて変更可能であるので、２つの取付板部材のなす角度を調整することで、平坦な取付面はもちろん、突出した角部や窪んだ角部にも取り付けることができる。
【図面の簡単な説明】
【００２３】
【図１】本発明の一実施の形態であるセンサライト（電子機器）の取付状態を示し、（ａ）は側面図、（ｂ）は平面図である。
【図２】（ａ）は前記センサライトの本体基板部に取り付けた取付板部材を、左右の取付板部材を広げた状態で示す背面図、（ｂ）は図２（ａ）のＸ部詳細図である。
【図３】前記センサライトの本体基板部と取付板部材との組み立て状態を示す斜視図である。
【図４】（ａ）はセンサライトの本体基板部を示す背面図、（ｂ）は同平面図である。
【図５】（ａ）は取付板部材の斜視図、（ｂ）は図５（ａ）のＡ方向矢視図である。
【図６】左右の取付板部材の関係を示す説明図である。
【図７】センサライトの本体基板部と取付具との結合関係を示す平面図である。
【図８】図７のＢ−Ｂ線における断面図である。
【図９】（ａ）（ｂ）は上取付フランジ部の凹凸部と取付板部材の凹凸部との噛み合いの説明図である。
【図１０】（ａ）〜（ｆ）はそれぞれセンサライトの取付状態を示す平面図である。
【図１１】他の実施の形態であるセンサライトの取付状態を示し、（ａ）は側面図、（ｂ）は平面図である。
【図１２】（ａ）〜（ｃ）はそれぞれ検知エリアの説明図である。
【発明を実施するための形態】
【００２４】
以下、本発明の実施の形態を図面に沿って説明する。
【００２５】
本発明の一実施の形態であるセンサライト１は、図１（ａ）（ｂ）および図２に示すように、センサライト部（機器部）２と、このセンサライト部２を壁面などの被取付部Ｗに取り付けるための取付具３とを備える。センサライト部２は、底面部に検知センサ部１１を有する本体部１２の上側に照明部１３が首振り可能に設けられている。センサライト部２は、本体部１２の背面側の部位において、取付具３に対し回転可能に連結されている。検知センサ部１１は、内部に前記広角検知センサが内蔵され、前記広角検知センサによって侵入物の移動を検知し、所定の動作を行っている。この広角検知センサとしては、１８０度を超える広角範囲において侵入物（例えば、侵入者）を検知する広角侵入検知センサの一つである、３６０°全方向を検知可能であるものを用いている。
【００２６】
本体部１２は、背面側に矩形板形状の本体基板部１４を有し、図３および図４（ａ）（ｂ）に詳細を示すように、本体基板部１４の上下に上下取付フランジ部１５，１６が設けられ、その上下取付フランジ部１５，１６の間であって上下方向の中間位置に、上下取付フランジ部１５，１６よりも肉厚が厚い中間取付フランジ部１７が後方に突出して設けられている。これらフランジ部１５〜１７は、平面視で、同一形状をしており、両側面が内方に窪む湾曲面１５ａ，１６ａ，１７ａとなっている。
【００２７】
中間取付フランジ部１７は、先端部分の上下面に互いに反対方向（上下方向）に延びる、断面円形状の上下支柱部２１，２２が一体に設けられている。これにより、センサライト部２の背面中央位置に、上下支柱部２１，２２が配置される。中間取付フランジ部１７は、上下支柱部２１，２２を支持する支柱支持部として機能している。この上下支柱部２１，２２は、それの先端面と上下取付フランジ部１５，１６との間に隙間Ｓが存在する長さとされている。
【００２８】
上下支柱部２１，２２は、図２および図４に示すように、先端面中央に雌ねじ穴２１ａ，２２ａが形成されており、この雌ねじ穴２１ａ，２２ａに対応して上下取付フランジ部１５，１６の先端に取付穴１５ｂ，１６ｂが貫通して形成されている。
【００２９】
取付具３は、支柱部２１，２２に一端部が回転可能に結合される２つの取付板部材３１を備え、それらは同一形状で、一方が他方に対し反転した状態で取り付けられている。つまり、共通部品となっている。そして、２つの取付板部材３１のなす角度が、被取付部Ｗの形状（角度）に応じて変更可能である。
【００３０】
各取付板部材３１は、図５（ａ）（ｂ）および図６に示すように、被取付部Ｗへの取付孔３１ａ，３１ｂが形成された板状の取付板部３１Ａと、この取付板部３１Ａの一側縁部の上側部位または下側部位と中間部位とに側方に突出して設けられた第１および第２の腕部３１Ｂ，３１Ｃとを有する。
【００３１】
第１および第２の腕部３１Ｂ，３１Ｃの先端部分には、支柱部２１，２２に回転可能に係合する係合部３１Ｂａ，３１Ｃａが形成されている。そして、第１および第２の腕部３１Ｂ，３１Ｃの先端部分（係合部３１Ｂａ，３１Ｃａ）、並びに取付板部３１Ａの前記一側縁部であって第１および第２の腕部３１Ｂ，３１Ｃを設けた部分を除く部分が湾曲面３１Ｂｆ，３１Ｃｆ，３１ｄ，３１ｅとなっている。
【００３２】
各腕部３１Ｂ，３１Ｃの係合部３１Ｂａ，３１Ｃａには、センサライト部２の本体基板部１４の上下支柱部２１，２２が、スリット部３１Ｂｂ，３１Ｃｂを通じて回転可能に挿通される貫通孔部３１Ｂｃ，３１Ｃｃが形成されている。
【００３３】
また、図７および図８に示すように、第１の腕部３１Ｂの先端部分（係合部３１Ｂａ）であって、第２の腕部３１Ｃと対向している側の面に断面円形状の係合凸部３１Ｂｄが、反対側の面に、半径方向に規則的に延びる凹凸部３１Ｂｅが形成されている一方、第２の腕部３１Ｃの先端部分であって、第１の腕部３１Ｂと対向している側と反対側の面に、係合凸部３１Ｂｄが回転可能に係合する係合凹部３１Ｃｄが形成されている。また、取付フランジ部１５，１６の先端部分であって支柱部２１，２２に対向する側に、凹凸部３１Ｂｅに対応する凹凸部１５ｃ，１６ｃが形成されている。これにより被取付部Ｗへの取付状態において、取付板部材３１の係合部３１Ｂａ，３１Ｃａが支柱部２１，２２に回転可能に係合された状態で、取付フランジ部１５，１６の取付穴１５ｂ，１６ｂを通じて、図３に示すように、雄ねじ４１を、平ワッシャ４２およびスプリングワッシャ４３を介して雌ねじ穴２１ａ，２２ａに適用して、隙間Ｓがなくなるように締め付けることで、凹凸部３１Ｂｅと凹凸部１５ｃ，１６ｃとが離れた状態（図９（ａ）参照）から、凹凸部３１Ｂｅと凹凸部１５ｃ，１６ｃとが噛み合う状態（図９（ｂ）参照）に変化し、支柱部２１，２２に対し取付板部材３１が相対回転しないように固定されることになる。
【００３４】
続いて、被取付部Ｗの、例えば角度９０度の角部に、センサライト１を取り付ける手順について説明する。
【００３５】
まず、２つの取付板部材３１，３１を、一方の取付板部材３１に対し他方の取付板部材３１を反転させ、スリット部３１Ｂｂ，３１Ｃｂの位置が一致した状態で係合凸部３１Ｂｄと係合凹部３１Ｃｄとを嵌合させ、取付具３として一体化させる。それから、それらを図６および図７に示すように、一枚の板状に広げ、センサライト部２の支柱部２１，２２を、スリット部３１Ｂｂ，３１Ｃｂを通じて貫通孔部３１Ｂｃ，３１Ｃｃに挿入する。このとき、取付板部材３１は、合成樹脂材料で成形されているので、スリット部３１Ｂｂ，３１Ｃｂの幅は支柱部２１，２２の径よりも若干小さいが、樹脂弾性により広がり無理なく嵌合される。
【００３６】
この状態で、前記角度９０度の角部に取り付ける場合には、図１（ａ）（ｂ）に示すように、取付板部材３１，３１が９０度をなすように交差させ、各取付板部材３１の取付板部３１Ａを、ねじなどを用い、取付穴３１ａ，３１ｂを利用して被取付部Ｗに固定する。このとき、取付フランジ部１５，１６と取付板部材３１と間には隙間Ｓが形成されているので、前記角部に応じて行う、取付板部材３１，３１のなす角度の調整は容易であり、係合凸部３１Ｂｄと係合凹部３１Ｃｄとの嵌合および支柱部２１，２２に嵌合していることにより、取付具３からセンサライト部２が外れるおそれはない。
【００３７】
それから、各取付板部材３１が被取付部Ｗに取付固定された後、センサライト部２の、取付具３に対する取付角度を調整し、上下取付フランジ部１５，１６の取付穴１５ｂ、１６ｂより、平ワッシャ４２およびスプリングワッシャ４３を介して雄ねじ４１にて締め付け固定する。これにより、凹凸部３１Ｂｅと凹凸部１５ｃ，１６ｃとが噛み合って、円周方向に回転しないように固定され、取付具３とセンサライト部２との位置関係が固定される。
【００３８】
また、図１０（ａ）に示すように、平坦な壁面に取り付けることができるのはもちろん、図１０（ｂ）（ｃ）に示すように、角度が１８０度を超える角部（窪んだ角部）についても取り付けることができる。図１０（ｃ）に、角度が２７０度をなす場合の取付状態を示す。
【００３９】
また、角度が１８０度までの角部（突出する角部）についても、図１０（ｄ）〜図１０（ｆ）に示すように、取り付けることができる。
【００４０】
本発明は、前述した実施の形態のほか、次のように変更して、実施することができる。      
【００４１】
(i)  前記実施の形態では、上下取付フランジ部１５，１６及び中間取付フランジ部１７の突出量を、取付板部材３１の長さ程度とし、角部(被取付部）が鋭角であっても鈍角であっても取り付けることができるようにしているが、角部(被取付部）の角度が９０度ぐらいまでの鋭角である場合には、中間取付フランジ部１７と取付板部材３１とが干渉するおそれがないので、図１１（ａ）（ｂ）に示すセンサライト１’のように、上下取付フランジ部１５’，１６’及び中間取付フランジ部１７’の突出量を小さくすることができる。
【００４２】
(ii)  前記実施の形態では、上下取付フランジ部１５，１６と中間取付フランジ部とは、平面視で、同一形状としているが、上下取付フランジ部１５，１６は取付具３の取付板部材３１と干渉するおそれがないので、上下取付フランジ部を中間取付フランジ部とは異なる形状とすることも可能である。
【００４３】
(iii)  前記実施の形態では、支柱部２１，２２に対し取付板部材３１が相対回転しないように固定するための凹凸部３１Ｂｅ，１５ｃ，１６ｃを、半径方向に規則的に延びる凹凸部としているが、そのような凹凸部に制限されず、雄ねじ４１の締め込みで取付板部材３１と上下取付フランジ部１５，１６との間に所定の摩擦力を発生させる凹凸部であればよく、形状は特に制限されない。また、そのような凹凸部を設けることなく、隙間を小さくすることで、雄ねじ４１の締め込みで取付板部材３１と上下取付フランジ部１５，１６との間に摩擦力を発生させ、固定することも可能である。
【００４４】
(iv)  前記実施の形態では、取付板部３１Ａの一側縁部であって第１および第２の腕部３１Ｂ，３１Ｃを設けた部分を除く部分が湾曲面３１ｄ，３１ｅとなっているが、壁面への取付の際に干渉しない形状であればよく、例えば直線の山形形状であってもよい。つまり、支柱部を中心に回転可能に取り付けられる２枚の対となる取付板部３１Ａの一方の背面（水平な壁に取り付けた際に壁と接する面）と他方の面（水平な壁に取り付けた際に壁と接する面）とがなす角度を取り付ける壁面の角部の角度より鋭角に回転するために、前記取付板部３１Ａの一側縁部であって第１および第２の腕部３１Ｂ，３１Ｃを設けた部分を除く部分が、取り付ける壁面の角部の角度まで、２枚の取付板部を回転させたときに取付板部３１Ａの一方の背面と他方の背面とが衝突しない位置関係になっていればよい。
【００４５】
(v)  前記実施の形態では、機器部の中間部位に設けた支柱支持部の上下に、２つの支柱を設けているが、支柱支持部を上側部位あるいは下側部位に設け、支柱を１つにすることも可能である。
【００４６】
(vi)  前記実施の形態では、機器部の背面中央に支柱部を設けているが、この支柱部を背面中央より左側あるいは右側に寄せて設けることができるのはもちろんである。
【符号の説明】
【００４７】
１    センサライト
２    センサライト部
３    取付具
１１    検知センサ部
１２    本体部
１３    照明部
１５，１６    取付フランジ部
１５ａ，１６ａ    湾曲面
１５ｃ，１６ｃ    凹凸部
１７    中間取付フランジ部（支柱支持部）
１７ａ    湾曲面
２１，２２    支柱
２１ａ，２２ａ    雌ねじ穴
３１    取付板部材
３１ｄ，３１ｅ    湾曲面
３１Ａ    取付板部
３１Ｂ，３１Ｃ    腕部
３１Ｂａ，３１Ｃａ    係合部
３１Ｂｄ    係合凸部
３１Ｂｅ    凹凸部
３１Ｂｆ    湾曲面
３１Ｃｄ    係合凹部
３１Ｃｆ    湾曲面
４１    雄ねじ
【図１】
2010262859.tif 000003
【図２】
2010262859.tif 000004
【図３】
2010262859.tif 000005
【図４】
2010262859.tif 000006
【図５】
2010262859.tif 000007
【図６】
2010262859.tif 000008
【図７】
2010262859.tif 000009
【図８】
2010262859.tif 000010
【図１１】
2010262859.tif 000011
【図１２】
2010262859.tif 000012
【図９】
2010262859.tif 000013
【図１０】
2010262859.tif 000014